(57)【特許請求の範囲】
【請求項１】
空気清浄機であって、
送風機と、
前記送風機により内部に取り入れられた空気に含まれる塵埃を帯電させる荷電部と、
前記荷電部によって帯電された塵埃を集塵する集塵部と、
前記荷電部に対し電力を供給する第１電源部と、
前記集塵部に対し電力を供給する第２電源部と、
前記第１電源部および前記第２電源部を制御する制御部と、
前記空気中の塵埃濃度を検出する塵埃検出手段と、を備え、
前記制御部は、前記空気中の塵埃濃度が予め定めた閾値以下のとき、前記荷電部に電力を供給しない一方、前記集塵部に電力を供給するように、前記第１電源部および前記第２電源部を制御することを特徴とする空気清浄機。
【請求項２】
前記荷電部は２以上に分割されており、前記第１電源部はその２以上の荷電部に対し個別に電力を供給するものであり、前記制御部は前記塵埃濃度が前記閾値を超えたとき前記空気中の塵埃濃度に応じて、稼働する前記荷電部の個数を決定し、前記決定した個数の荷電部に対し個別に電力を供給するように前記第１電源部を制御することを特徴とする請求項１に記載の空気清浄機。
【請求項３】
前記制御部が、前記塵埃検出手段で検出された塵埃濃度が閾値以下のとき、前記送風機の風量が最小となるように制御することを特徴とする請求項１または２に記載の空気清浄機。
【発明の詳細な説明】
【技術分野】
【０００１】
本発明は、電気集塵装置を備えた空気清浄機に関する。
【背景技術】
【０００２】
室内の空気を吸引し、吸引した空気から塵埃を除去する空気清浄機のなかには、電気集塵装置を備えたものがある。電気集塵装置は、塵埃に電荷を与えて帯電させる荷電部と、帯電した塵埃を捕集する集塵部と、を備えている。荷電部は、コロナ放電により塵埃を帯電させる。帯電能力は電極間を流れる電流により決まる。一方、集塵部は、高圧電極より生じる電界によって帯電した塵埃を捕集電極で捕集する。集塵能力は電界強度により決まる。したがって、集塵能力を高くするには、荷電部に大電流を供給し、集塵部に高電圧を供給する必要がある。
【０００３】
しかしながら、電気集塵装置を備えた空気清浄機では、吸引した空気に含まれる塵埃の量が少ない場合、塵埃の量が多い場合と同じ条件で運転すると、消費電力に対する集塵量が少ないため、単位消費電力当たりの集塵量である空気清浄機の運転効率が良くないという問題があった。そこで、吸引した空気に含まれる塵埃の量が少ない場合は、荷電部に流す電流値を小さくすることが提案されている（例えば、特許文献１参照）。
【先行技術文献】
【特許文献】
【０００４】
【特許文献１】特開２００７−２９０５７７号公報
【発明の概要】
【発明が解決しようとする課題】
【０００５】
特許文献１に記載された空気清浄機の制御方法によれば、空気中に含まれる塵埃の量に応じて荷電部に流す電流値を変えることにより、集塵能力（空気清浄機を通過する空気中の塵埃を捕集する能力）を変えることが可能であるが、空気中に含まれる塵埃の量が微量となっても、電極間でコロナ放電を起こすために最低限必要な電流を流さなければならないため、空気清浄機全体の消費電力に対して荷電部での消費電力が大きな割合を占めるという問題があった。
【０００６】
そこで、本発明は、上記の問題点に鑑みなされたものであって、空気中の塵埃濃度が微量な場合の運転時における消費電力を低減できる空気清浄機の提供を目的とする。
【課題を解決するための手段】
【０００７】
本発明は上記目的を達成するために提案されたものであり、請求項１の発明は、空気清浄機であって、送風機と、前記送風機により内部に取り入れられた空気に含まれる塵埃を帯電させる荷電部と、前記荷電部によって帯電された塵埃を集塵する集塵部と、前記荷電部に対し電力を供給する第１電源部と、前記集塵部に対し電力を供給する第２電源部と、前記第１電源部および前記第２電源部を制御する制御部と、前記空気中の塵埃濃度を検出する塵埃検出手段と、を備え、前記制御部は、前記空気中の塵埃濃度が予め定めた閾値以下のとき、前記荷電部に電力を供給しない一方、前記集塵部に電力を供給するように、前記第１電源部および前記第２電源部を制御することを特徴とする。
【０００８】
請求項２の発明は、請求項１に記載の空気清浄機において、前記荷電部は２以上に分割されており、前記第１電源部はその２以上の荷電部に対し個別に電力を供給するものであり、前記制御部は前記塵埃濃度が前記閾値を超えたとき前記空気中の塵埃濃度に応じて、稼働する前記荷電部の個数を決定し、前記決定した個数の荷電部に対し個別に電力を供給するように前記第１電源部を制御することを特徴とする。
【０００９】
請求項３の発明は、請求項１または２に記載の空気清浄機において、前記制御部が、前記塵埃検出手段で検出された塵埃濃度が閾値以下のとき、前記送風機の風量が最小となるように制御することを特徴とする。
【発明の効果】
【００１０】
本発明によれば、塵埃濃度が予め定めた閾値以下となった場合の運転時における荷電部の消費電力を低減できる空気清浄機及びその制御方法の提供が可能となる。
【図面の簡単な説明】
【００１１】
【図１】本発明の実施形態に係る空気清浄機の概略構成図である。
【図２】本発明の実施形態に係る電気集塵装置の概略構成図である。
【図３】本発明の実施形態に係る空気清浄機の制御手順を示すフローチャートである。
【図４】本発明の実施形態に係る電気集塵装置の特性を示すグラフである。
【図５】本発明の実施形態に係る空気清浄機の集塵性能を示すグラフである。
【図６】参考例に係る電気集塵装置の概略構成図である。
【発明を実施するための形態】
【００１２】
以下、本発明に係る好適な実施形態について、図面を参照しながら詳細に説明する。なお、実施形態の説明の全体を通じて同じ要素には同じ符号を付して説明する。
【００１３】
図１は、本発明の実施形態に係る空気清浄機の概略構成図であり、図２は、本発明の実施形態に係る電気集塵装置の概略構成図である。図１及び図２に示すように、空気清浄機１は、室内の空気を吸引する吸込口２と、吸引された空気から大きな塵埃を除去するプレフィルタ３と、プレフィルタ３を通過した空気中の塵埃を集塵する複数の電気集塵装置４と、電気集塵装置４を通過した空気を脱臭処理する脱臭フィルタ５と、脱臭フィルタ５の下流側に配置されるファン６（送風機）と、ファン６を回転させるファンモータ７と、プレフィルタ３と電気集塵装置４と脱臭フィルタ５により清浄された空気を室内に吹き出す吹出口８と、電気集塵装置４やファンモータ７を制御する制御部９３を有する電源制御基板９と、電気集塵装置４の荷電部４１に電力を供給する荷電部用高圧電源１０（荷電用電源部）と、電気集塵装置４の集塵部４２に電力を供給する集塵部用高圧電源１１（集塵用電源部）と、運転開始操作、運転停止操作、風量設定などを行う操作表示基板１２と、吸込口２から吸引された空気の塵埃濃度を検出する埃センサ１３（塵埃検出手段）と、を備える。荷電部用高圧電源１０は複数の電気集塵装置４の各々が備える荷電部４１、つまり複数の荷電部４１に対し個別に電力を供給するもので、この荷電部用高圧電源１０に電力を供給するものが本発明の電源部９４である。
【００１４】
そして、空気清浄機１は、ファンモータ７により駆動されるファン６の回転により、吸込口２から室内空気を吸引し、プレフィルタ３、電気集塵装置４、脱臭フィルタ５を通過しながら空気を清浄し、吹出口８より室内に清浄された空気を吹き出す。
【００１５】
なお、本実施形態の空気清浄機１には、電気集塵装置４が３個内蔵されているが、電気集塵装置４の個数は３個に限定されるものではなく、２個でもよいし、４個以上であってもよい。また、空気清浄機１の風量設定には、操作表示基板１２の操作に基づいて手動で風量を切換える手動風量設定と、埃センサ１３の検出信号と、予め記憶されている埃閾値１と埃閾値２（埃閾値１＜埃閾値２）を比較して、適切な風量に自動で切換える自動風量設定とがあり、いずれか一方を選択することができる。
【００１６】
図２に示すように、電気集塵装置４は、荷電部４１と集塵部４２とを備える。荷電部４１は、ワイヤやニードルなど、細く又は鋭利な形状をした荷電部放電電極４１ａと、荷電部放電電極４１ａと異なる極性をもった平板状の荷電部対向電極４１ｂとを所定の間隔をあけて交互に配置して構成されている。集塵部４２は、平板電極を多数枚平行に配列し、交互に異なる極性の高電圧が印加されるよう電気的に接続した構造であり、荷電部放電電極４１ａと同極性のものを集塵部高圧電極４２ｂ、荷電部対向電極４１ｂと同極性のものを集塵部捕集電極４２ａと呼ぶ。
【００１７】
荷電部４１の放電電極４１ａと対向電極４１ｂは、商用電源１４から電源部９４を介して荷電部用高圧電源１０により高電圧が印加される。荷電部用高圧電源１０は、電源制御基板９に搭載された制御部９３により荷電部スイッチ９１ａ、９１ｂ、９１ｃを介して駆動、制御される。
【００１８】
集塵部４２の捕集電極４２ａと高圧電極４２ｂは、商用電源１４から電源部９４を介して集塵部用高圧電源１１により高電圧が印加される。集塵部用高圧電源１１は、電源制御基板９に搭載された制御部９３により集塵部スイッチ９２を介して駆動、制御される。
【００１９】
荷電部用高圧電源１０は、電気集塵装置４の内蔵個数と同数が設けられており、各電気集塵装置４の荷電部４１と１対１に対応して接続される。集塵部用高圧電源１１は、電気集塵装置４の内蔵個数に拘らず１つであり、すべての集塵部４２が並列に接続される。
【００２０】
つぎに、電気集塵装置４内における塵埃の捕集作用について説明する。
【００２１】
荷電部４１の荷電部放電電極４１ａに正極の高電圧を印加し、荷電部対向電極４１ｂを荷電部用高圧電源１０の接地極に接続すると、コロナ放電が起こり、この電極間には、電子と空気分子が正に帯電したイオンが満たされる。このうち電子は、荷電部放電電極４１ａに到達し、荷電部用高圧電源１０に向かって流れる。このときの荷電部４１全体での電流を０．０２５ｍＡとすると、電極間にはこの電流値に対応したイオンが満たされる。また、電流が０．０２５ｍＡとなるようにコロナ放電を安定に起こす電圧が５ｋＶを下回るように、荷電部放電電極４１ａの形状、例えばワイヤ形状の場合に、線径を０．１ｍｍにするなど、設定することが可能である。
【００２２】
この正イオンで満たされた空間を塵埃が通過する際、その通過時間と荷電部放電電極４１ａと荷電部対向電極４１ｂとで作られる電界の強さに応じて、イオンと塵埃の衝突による電荷の移動が起こり、塵埃に正の電荷が帯電する。
【００２３】
一方、集塵部４２の集塵部高圧電極４２ｂに例えば５ｋＶを印加し、集塵部捕集電極４２ａを集塵部用高圧電源１１の接地極に接続すると、両電極の間隔が２ｍｍであれば、２５ｋＶ／ｃｍの静電界が形成される。荷電部４１で正に帯電した塵埃は、集塵部４２に移動すると、静電界により塵埃と反対極性の集塵部捕集電極４２ａに吸引される方向に力を受ける。
【００２４】
空気中を浮遊する塵埃は、空気抵抗により直ちに終端速度に到達し、流れ方向と集塵部捕集電極４２ａ方向の速度成分を持った等速運動となる。集塵部捕集電極４２ａ方向の速度成分は、塵埃の電荷量と電界強度に比例し、流れ方向の速度と集塵部４２の奥行で定まる集塵部４２の通過時間内に、集塵部捕集電極４２ａに到達した塵埃が捕集される。空気中を浮遊する塵埃は十分に小さく、拡散の影響を受けるので、集塵部捕集電極４２ａから遠ざかる方向に動くものもあり、集塵部４２を通過している間にすべての塵埃が捕集されるわけではないが、捕集されずに集塵部４２を通過する塵埃の量は時間の経過にともない指数関数的に減少していく。
【００２５】
ここで、捕集率を高める方法のひとつは、塵埃の電荷量を高めることであり、荷電部４１内のイオンの数を増やすことである。安定した集塵能力を得るため、荷電部用高圧電源１０には、荷電部放電電極４１ａに印加する正極の高電圧を一定に保つ特性が求められる。
【００２６】
捕集率を高める別の方法は、集塵部４２の電界の強度を上げることであり、異常放電を起こさない範囲で極力高く、集塵部高圧電極４２ｂと集塵部捕集電極４２ａとの間の電位差を保つため、集塵部用高圧電源１１には、出力電圧を一定に保つ特性が求められる。また、家庭用空気清浄機で処理する空気の塵埃濃度は、例えば０．１ｍｇ／ｍ３と低いので、集塵部４２で捕集される塵埃の電荷量により流れる電流は小さく、集塵部用高圧電源１１の電流容量は例えば０．０１ｍＡのように小さくてよい。
【００２７】
家庭用空気清浄機において必要とされる処理風量、例えば３〜８ｍ３／分は、上記出力の荷電部用高圧電源１０に対応する電気集塵装置４を１〜３個内蔵することで対応可能であるが、本発明はこれに限定したものではなく、４個以上など空気清浄機が必要とされる能力に応じて電気集塵装置４の個数を適宜変更してもよい。または、荷電部４１を２以上複数個設けて、集塵部４２を１個だけにして、集塵部４２の風上側に複数の荷電部４１を配置するようにしてもよい。
【００２８】
つぎに、図３の制御フローを用いて、本発明の空気清浄機１の制御手順を説明する。
【００２９】
図３は、本発明の実施形態に係る空気清浄機の制御手順を示すフローチャートである。図３に示すように、電源制御基板９に搭載された制御部９３は、空気清浄機１の操作表示基板１２に設けられた図示しない運転スイッチにより、運転が開始されると、複数の集塵部４２すべてに共通して電力を供給する集塵部用高圧電源１１をＯＮに設定する（Ｓ１１）。
【００３０】
つぎに、風量設定が手動、自動のいずれであるかを判断する（Ｓ１２）。ここで、風量設定が手動であると判断した場合は、大、中、小のうち、いずれの風量が選択されているかを判断し（Ｓ１３、Ｓ１４）、その判断結果に応じて風量設定変数に大、中、小をセットする（Ｓ１５、Ｓ１６、Ｓ１７）。一方、風量設定が自動であると判断した場合は、吸込口２の近傍に配置された埃センサ１３からの信号と、あらかじめ設定された２つの埃閾値（埃閾値１と埃閾値２）との比較を行い（Ｓ１８、Ｓ１９）、塵埃濃度に応じて、大、中、小のうち、いずれかの風量を選択し、その判断結果に応じて風量設定変数に大、中、小をセットする（Ｓ１５、Ｓ１６、Ｓ１７）。
【００３１】
風量設定後は、ファンモータ７を風量設定に応じた回転数で駆動させ、設定された風量をファン６により発生させる。また、手動又は自動で風量が大に設定されたときには、複数の荷電部用高圧電源１０をすべてＯＮにする（Ｓ２０）。また、手動又は自動で風量が中に設定されたときには、複数の荷電部用高圧電源１０のうち、一部をＯＮにする（Ｓ２１）。例えば、３個のうちの１個、あるいは３個のうち２個をＯＮにする。また、手動又は自動で風量が小に設定されたときには、複数の荷電部用高圧電源１０をすべてＯＦＦのままにする。
【００３２】
複数の荷電部用高圧電源１０のうち、一部をＯＮにする際には、複数の荷電部用高圧電源１０のうち、常に特定の荷電部用高圧電源１０をＯＮにするのではなく、複数の荷電部用高圧電源１０を均等にＯＮにすることが好ましい。つまり、ワイヤやニードルなど、細く又は鋭利な形状をした荷電部４１の荷電部放電電極４１ａは寿命があるため、各荷電部用高圧電源１０の駆動時間が均等になるように、駆動させる荷電部用高圧電源１０を選択して、選択したものをＯＮにすることにより、全体としての寿命を延ばすことが可能になる。なお、複数の荷電部用高圧電源１０を均等にＯＮにする方法としては、複数の荷電部用高圧電源１０を所定の順番でＯＮにする方法や、複数の荷電部用高圧電源１０の過去のＯＮ時間を記憶し、過去のＯＮ時間が均等になるように複数の荷電部用高圧電源１０をＯＮにする方法などがある。
【００３３】
上記運転スイッチにより運転が停止されるまでの間（Ｓ２２：Ｎ）、常時、手動による風量設定の変更、及び埃センサ１３の信号に基づいた自動による風量設定の変更を監視し、変更された風量に応じて、ファンモータ７の回転数、及びＯＮ又はＯＦＦにする荷電部用高圧電源１０の数を制御する。
【００３４】
運転停止スイッチにより運転が停止されたら（Ｓ２２：Ｙ）、荷電部用高圧電源１０をすべてＯＦＦにした後（Ｓ２３）、集塵部用高圧電源１１をＯＦＦにし（Ｓ２４）、風量設定変数に停止をセットし（Ｓ２５）、ファンモータ７の回転数を０にする。
【００３５】
なお、図３に示すフローチャートでは、風量と電気集塵装置４の制御に関してのみ記載したが、脱臭フィルタ５や埃センサ１３の信号による汚れ量の表示制御、図示しない臭いセンサの信号による制御などを制限するものではない。また、風量の設定は、小、中、大の３段階に限定されない。また、埃センサ１３の信号閾値も２つに限定されない。また、荷電部４１や集塵部４２のＯＮ／ＯＦＦ順序、大、中、小の風量設定順序などは、図３に示すフローチャートに限定されない。
【００３６】
つぎに、図４を用いて、電気集塵装置４の荷電部電流特性について説明する。
【００３７】
図４は、本発明の実施形態に係る電気集塵装置４の特性を示すグラフである。図４は、直径０．１２ｍｍのワイヤを荷電部放電電極４１ａとして、６．２５ｍｍの間隔で幅１０ｍｍの金属板を荷電部対向電極４１ｂとして配置し、集塵部４２に奥行３４ｍｍ、間隔２ｍｍで集塵部捕集電極４２ａと集塵部高圧電極４２ｂを多数枚配置してなる電気集塵装置４において、粒径０．３〜０．５μｍの大気塵の透過率を表したものである。２つの記号は、集塵部４２の流れ方向の風速ｖｘに対応している。横軸は荷電部電流、縦軸は透過率（＝出口粒子濃度／入口粒子濃度）である。
【００３８】
図４によれば、荷電部電流の増加に伴って透過率が減少していること、風速ｖｘが小さいほど透過率が低いことがわかる。また、荷電部電流が０のときに、風速ｖｘ３．７５ｍ／ｓの透過率は９０％を超えているのに対して、風速ｖｘ０．７４ｍ／ｓの透過率は６０％台であることがわかる。なお、風速ｖｘは空気清浄機を最大風量（定格風量）で運転した時に電気集塵装置４を通過する空気の風速である。
【００３９】
大気塵には、最初から帯電しているものが含まれ、塵埃１個あたりの帯電量（＝電荷量）は小さいので、大きな風速ｖｘでは集塵部４２で捕集できるものが少ないのに対し、風速ｖｘが小さいときには捕集できるものが増える。
【００４０】
電気集塵装置４の電力は、荷電部４１で消費されるものがほとんどであり、集塵部４２で消費されるものは極めて少ないので、風速ｖｘが小さいときに集塵部用高圧電源１１だけをＯＮにしておくことで、少ない電力で集塵能力を持たせることが可能である。
【００４１】
また、風速ｖｘが小さいときには、荷電部電流を大きくしても、透過率を更に低下させることが困難であり、大きな荷電部電流で駆動するのは、非効率である。荷電部用高圧電源１０を電流可変に設計することで効率を高めることは可能だが、電源の構成が複雑、高価になるという欠点がある。また、風速ｖｘが小さいとき、すなわち風量が小さいときは、自動運転で塵埃の量が少ないときか、手動設定によって早い集塵が望まれていないと考えることができるので、不要に高い集塵能力で運転する必要がない。従来の空気清浄機では、この条件のときに電気集塵装置自体の運転を停止する制御が行われているものもある。
【００４２】
しかし、本発明のように荷電部用高圧電源１０と集塵部用高圧電源１１が独立に設けられている場合、風速ｖｘが小さいとき、すなわち風量が小さいときは小さな電力で集塵部用高圧電源１１のみをＯＮにしておけば、電気集塵装置４自体を停止しているのに比べ、確実に集塵を行うことができる。以下、この効果を図５を用いて説明する。
【００４３】
図５は、本発明の実施形態に係る空気清浄機１の集塵能力を示すグラフである。図５は、電気集塵装置４を２個内蔵する空気清浄機を定格風量、定格風量の１／２、及び定格風量の１／５で運転したとき、荷電部４１のＯＮの数を変えながら捕集率を測定した結果である。
【００４４】
「すべて荷電」は、２個の荷電部４１のうち２個をＯＮ、「一部荷電」は２個の荷電部４１のうち１個をＯＮ、「荷電なし」は２個の荷電部４１のうち２個をＯＦＦとして、荷電部用高圧電源１０を駆動している。横軸は、電気集塵装置４の１個あたりの風量、縦軸は捕集率（＝１−透過率）である。
【００４５】
「すべて荷電」のときが最も捕集率が高く、「荷電なし」が最も捕集率が低くなる。内蔵の電気集塵装置４の個数が３個の場合、あるいは１個の場合でも同様の結果となる。図３の制御フローの記載に従えば、風量設定：小は定格風量の１／５、風量設定：中は定格風量の１／２、風量設定：大は定格風量に対応させることができる。
【００４６】
図４の風速ｖｘと荷電部電流の特性と同様に、「すべて荷電」のときには、風量が小さくなっても捕集率の上昇幅が小さく、「荷電なし」のときには、大風量では、捕集率が１０％以下だが、小風量にすると３０％を超える捕集率となることがわかる。
【００４７】
つぎに、集塵能力と、電力と、その比として定義される効率を、実施例と参考例で比較しながら説明する。
【００４８】
図６は、参考例に係る電気集塵装置の概略構成図である。参考例に係る空気清浄機の電気集塵装置は、荷電部１４１と集塵部１４２に共通の高圧電源１１５が接続され、各電気集塵装置１０４毎に電源制御基板１０９内のスイッチ１９１ａ、１９１ｂ、１９１ｃで制御される。
【００４９】
この例は２段式電気集塵装置であるが、荷電部と集塵部が一体化した１段式集塵装置と同様の制御である。高圧電源１１５の種類が減らせるという利点はあるものの、荷電部１４１は定電流電源、集塵部１４２は定電圧電源という望まれる特性が異なる電源を共通出力により駆動することで、異なる電位で駆動することができないという短所や、集塵部１４２に不要な高電流が流れてしまう可能性があるという短所がある。
【００５０】
以下、集塵能力と、電力と、その比として定義される効率を、本実施形態における実施例と参考例で比較した表１を示す。
【表１】
0006701741.tif 000002
【００５１】
ここで集塵能力は、風量と捕集率の積で、１分間あたりに清浄できる空気量を表す。電力は、荷電部４１が１個あたり１．４１Ｗ、集塵部４２が共通で０．００４７Ｗとし、電気集塵装置４の１個あたりの平均として算出している。効率は、集塵能力と電力の比で、電力１Ｗあたりの集塵能力の値となる。実施例では、図３の制御フローに従い、風量設定の３段階で荷電部４１を制御している。「一部荷電」は、２個のうち１個をＯＮに相当させている。参考例は、荷電部１４１と集塵部１４２の高圧電源１１５は共用で、風量設定が小のときＯＦＦ、中及び大のときＯＮとしている。
【００５２】
風量設定が大のときには、実施例、参考例とも同じ条件なので、効率は同じである。風量設定が中のときには、一部荷電の実施例に対して、すべて荷電の参考例の方が集塵能力は高くなるが、実施例では電力の減少ほどには集塵能力が減少しないので、効率は参考例より実施例の方が高くなる。しかし、風量設定が大と比べると、風量が小さい分、風量と捕集率の積である集塵能力は低くなるので、効率も低くなる。これは、送風に係る電力を加味していないことによる。
【００５３】
風量設定が小のときには、参考例では、集塵能力が０、電力が０であり、効率は算出できない。実施例では、効率が他の風量設定のときと比べて、けた違いに大きくなっている。集塵能力の絶対値は小さいが、風量が小さいときに期待されている能力としては、参考例に比べ、効果的であると言える。なお、風量設定が中に対応する荷電は、「荷電部一部ＯＮ」に限らず、「荷電部すべてＯＮ」を選択することを可能にしてもよく、省エネ運転、強力集塵運転のような表現で使用者の選択に委ねる方法もある。
【００５４】
以上に述べた本実施形態の空気清浄機１によれば、空気中の塵埃濃度に応じて、複数の荷電部４１のうち稼動させる荷電部４１のみに通電し、かつ、空気中の塵埃濃度が予め定めた閾値以下のとき複数の荷電部４１のいずれにも電力を供給しないように電源部９４を制御するので、空気中の塵埃濃度が予め定めた閾値以下となった場合の運転（弱運転）時における消費電力を低減できる。
【００５５】
また、集塵部４２は、ファン６の風量が小さいほど補集性能が高くなり、帯電した大気中の塵埃も補集することが可能になるので、弱運転時にすべての荷電部４１の稼働を停止しても、集塵部４２の稼働を継続することにより、必要な集塵性能を維持することができる。
【００５６】
また、弱運転時以外においては、空気中の塵埃濃度に応じて、複数の荷電部４１のうち稼動させる個数を決定し、この個数分の荷電部４１に通電するよう荷電部用高圧電源１０を制御するので、稼働させる荷電部４１の電流値を下げることなく、稼働させる荷電部４１の数に基づいて空気清浄機１全体の集塵能力を調節することが可能となり、その結果、必要な集塵能力を確保しつつ、消費電力を低減させて空気清浄機の運転効率を改善することができる。
【００５７】
また、空気清浄機１は、集塵部４２に対し電力を供給する集塵部用高圧電源１１をさらに備え、集塵部４２が２以上に分割されており、集塵部用高圧電源１１がその２以上の集塵部４２全てに対し電力を供給するので、消費電力が少ない集塵部４２については、一つの電源で複数の集塵部４２に電力を供給することができ、その結果、電源の複雑化を回避できる。
【００５８】
また、空気清浄機１は、埃センサ１３で検出された塵埃濃度に応じて、ファン６の風量を制御するので、空気中の塵埃濃度が高いときは、ファン６の風量を大きくしつつ、多くの荷電部４１を稼働させて高効率な集塵運転を行うことができるだけでなく、空気中の塵埃濃度が低いときは、ファン６の風量を小さくしつつ、一部の荷電部４１を稼働させる、またはすべての荷電部４１を非稼働として省電力な集塵運転を行うことができる。
【００５９】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００６０】
１…空気清浄機、１０…荷電部用高圧電源、１１…集塵部用高圧電源、１２…操作表示基板、１３…埃センサ、１４…商用電源、３…プレフィルタ、４…電気集塵装置、４１…荷電部、４１ａ…荷電部放電電極、４１ｂ…荷電部対向電極、４２…集塵部、４２ａ…集塵部捕集電極、４２ｂ…集塵部高圧電極、５…脱臭フィルタ、６…ファン、７…ファンモータ、８…吹出口、９…電源制御基板、９１ａ、９１ｂ、９１ｃ…荷電部スイッチ、９２…集塵部スイッチ
【図１】
0006701741.tif 000003
【図２】
0006701741.tif 000004
【図３】
0006701741.tif 000005
【図４】
0006701741.tif 000006
【図５】
0006701741.tif 000007
【図６】
0006701741.tif 000008